(57)【要約】【課題】  プラントなどの被監視装置の監視におけるヒューマンマシンインターフェイスの利便性を向上する監視装置を提供する。【解決手段】  複数の被監視部を有する被監視装置の各被監視部に対応するシンボルを監視画面上に表示し、マウスのマウスカーソルによってシンボルを指定すると各被監視部の監視情報を表示する監視装置において、マウスがスクロール機能を有し、各被監視部を監視するための複数の監視項目と監視項目毎の情報とを各シンボルのスクロール情報として割り付けておき、マウスカーソルを所望のシンボル位置に合わせクリックすると所望のシンボルに対応する複数の監視項目の一覧をポップアップ表示する（ステップＳ１〜Ｓ６）、次に、マウスのスクロール機能の信号に合わせてポップアップ表示された各監視項目に対応して監視項目毎の情報をスクロール表示する（ステップＳ７〜Ｓ１０）。【選択図】        図５
2006195681.tif 000002
【特許請求の範囲】
【請求項１】
複数の被監視部を有する被監視装置の上記各被監視部に対応するシンボルを監視画面上に表示し、上記監視画面上において操作可能なマウスのマウスカーソルによって上記シンボルを指定すると上記各被監視部の監視情報を表示する監視装置において、上記マウスがスクロール機能を有し、上記各被監視部の監視情報として上記各被監視部を監視するための複数の監視項目と上記監視項目毎の情報とを上記各シンボルのスクロール情報として割り付けておく手段と、上記マウスカーソルを所望の上記シンボル位置に合わせクリックすると上記所望のシンボルに対応する上記複数の監視項目の一覧をポップアップ表示する手段と、上記マウスのスクロール機能から信号が配信されると上記スクロール機能の信号に合わせて上記ポップアップ表示された各監視項目に対応して上記監視項目毎の情報をスクロール表示する手段とを備えたことを特徴とする監視装置。
【請求項２】
上記各シンボルの監視順序を設定する手段と、上記マウスのスクロール速度が所定のしきい値を超えるか、または、上記マウスの所定ボタンのクリック操作により、上記各シンボルの監視順序の情報に基づいて上記所望のシンボルから他のシンボルヘ上記マウスカーソルを移動させる手段とを備えたことを特徴とする請求項１に記載の監視装置。
【請求項３】
上記監視画面の各シンボル毎に上記監視画面上における操作エリアを設定する手段と、上記監視画面の表示に対して上記マウスカーソルが上記操作エリアのいずれかのエリア内に達すると上記マウスカーソルを上記操作エリアに対応する上記所望のシンボル位置まで移動させかつ上記所望のシンボルに対応する上記複数の監視項目の一覧をポップアップ表示する手段とを備えたことを特徴とする請求項１または請求項２に記載の監視装置。
【請求項４】
上記監視画面に入力可能な複数のボタンキーを有する手段と、上記複数のボタンキーの内の所望のボタンキーに上記所定のシンボル位置に移動するための移動キーを定義する手段と、上記移動キーの押下信号により上記マウスカーソルの位置を上記所定のシンボル位置の上に移動させる手段とを備えたことを特徴とする請求項１ないし請求項３のいずれかに記載の監視装置。
【発明の詳細な説明】
【技術分野】
【０００１】
この発明は、プラントなどを監視する監視装置に関し、特にプラントなど被監視部の監視におけるヒューマンマシンインターフェイスの利便性を向上するものである。
【背景技術】
【０００２】
従来の監視制御システムは、操作員はプラントの監視を行うためには画面への複数のタッチ操作やマウスのクリック操作を組合せて監視を行う必要があった（例えば、特許文献１参照）。
【０００３】
【特許文献１】特開２０００−２２２０２８号公報
【発明の開示】
【発明が解決しようとする課題】
【０００４】
従来の監視制御システムは、近年の技術の進歩により監視画面に表示されるシンボルの数は増加する一方にある。従来のヒューマンマシンインターフェイスでは、複数のタッチ操作やマウスのクリック操作の組合せによりプラントの健全性や故障状態を確認していたため、監視画面に表示されたシンボルに関連する設備の監視には、複数のタッチ操作やマウスのクリック操作を行う必要があり間違いを生じる可能性があるという問題点があった。
【０００５】
この発明は上記のような課題を解決するためになされたものであり、画面の操作性が向上し、操作員のプラント監視作業を軽減する監視装置を提供することを目的とする。
【課題を解決するための手段】
【０００６】
この発明は、複数の被監視部を有する被監視装置の各被監視部に対応するシンボルを監視画面上に表示し、監視画面上において操作可能なマウスのマウスカーソルによってシンボルを指定すると各被監視部の監視情報を表示する監視装置において、マウスがスクロール機能を有し、各被監視部の監視情報として各被監視部を監視するための複数の監視項目と監視項目毎の情報とを各シンボルのスクロール情報として割り付けておく手段と、マウスカーソルを所望のシンボル位置に合わせクリックすると所望のシンボルに対応する複数の監視項目の一覧をポップアップ表示する手段と、マウスのスクロール機能から信号が配信されるとスクロール機能の信号に合わせてポップアップ表示された各監視項目に対応して監視項目毎の情報をスクロール表示する手段とを備えたものである。
【発明の効果】
【０００７】
この発明の監視装置は、複数の被監視部を有する被監視装置の各被監視部に対応するシンボルを監視画面上に表示し、監視画面上において操作可能なマウスのマウスカーソルによってシンボルを指定すると各被監視部の監視情報を表示する監視装置において、マウスがスクロール機能を有し、各被監視部の監視情報として各被監視部を監視するための複数の監視項目と監視項目毎の情報とを各シンボルのスクロール情報として割り付けておく手段と、マウスカーソルを所望のシンボル位置に合わせクリックすると所望のシンボルに対応する複数の監視項目の一覧をポップアップ表示する手段と、マウスのスクロール機能から信号が配信されるとスクロール機能の信号に合わせてポップアップ表示された各監視項目に対応して監視項目毎の情報をスクロール表示する手段とを備えたので、スクロール操作を行うことにより、画面の操作性を向上し、操作員の監視作業を軽減する。
【発明を実施するための最良の形態】
【０００８】
実施の形態１．
以下、本願発明の実施の形態について説明する。図１ないし図３はこの発明の実施の形態１の監視装置の監視画面の構成を示した図、図４はこの発明の実施の形態１の監視装置のシンボル毎に割り付けられている監視情報のスクロール監視情報管理テーブルの構成を示した図、図５はこの発明の実施の形態１の監視装置のアルゴリズムを示したフローチャートである。
【０００９】
図１において、被監視装置としての例えばプラントなどの各被監視部、例えばバルブや制御装置Ａなどが各シンボル２０、２１、２２、２３としてそれぞれ簡略された経路図にて表示されている監視画面１である。この監視画面１は、この監視画面１上において操作可能なマウスのマウスカーソル３と、各被監視部の監視情報として各被監視部を監視するための複数の監視項目４ａ、４ｂ、４ｃ、４ｄがポップアップ表示されるメニューウインドウ４と、各監視項目４ａ、４ｂ、４ｃ、４ｄ毎にその情報が表示される情報ウインドウ５ｂ（尚、ここでは監視項目４ｂに対応する情報であるため情報ウインドウ５ｂとなる。）とが表示される。また、図示はしないが、マウスには左右のボタン以外にスクロール機能を有するものとする。
【００１０】
そして各シンボル２０、２１、２２、２３にはそれぞれ図４に示すような監視情報が割り付けられている。割り付けられている監視情報のスクロール監視情報管理テーブルの構成について説明する。まず、監視装置のモード情報１１として、そのシンボルの監視装置の動作モードがスクロール機能を有しているか否かのフラグが示されている。次に、監視装置の監視状態１２として、そのシンボルがスクロール操作で監視中が否かを示すフラグが示されている。次に、スクロール監視機能の数１３として、そのシンボルがスクロール操作において監視する項目数、すなわち監視項目の数が示されている。
【００１１】
例えば図１のシンボル２１の場合であれば、監視項目４ａ、４ｂ、４ｃ、４ｄとして”現在値”、”操作履歴”、”警報”、”保守情報”の４つが項目数と成る。次に、現在のスクロール監視機能番号１４として、そのシンボルの現在選択されているスクロール監視機能の番号が示されている。例えば図１の状態であれば、監視項目４ｂがその番号として示されていることとなる。次に、スクロール監視機能１５として、スクロール機能により監視する監視機能の監視情報、すなわち監視項目毎の情報が格納されている。
【００１２】
次に、上記実施の形態１における監視装置の監視画面１上における操作および表示方法について図に基づいて説明する。まず、図２に示すように、監視画面１には被監視装置の被監視部がシンボルとして例えば各シンボル２０、２１、２２、２３が簡略された経路図にて表示されている。さらに、図４に示すように各シンボルには監視情報として複数の監視項目および各監視項目毎の情報がスクロール情報としてそれぞれ割り付けられている。そして、図２に示すようにマウスの操作を行うとマウス操作入力を受信する（図５のステップＳ１）。
【００１３】
次に、図３に示すように、マウス操作によりマウスカーソル３を移動させ、マウスカーソル３をシンボル２１上に移動する。そして、マウスカーソル３がシンボル２１上にある状態にて操作員がマウスの例えば左ボタンをクリックを操作する。すると、マウスカーソル位置にシンボルがあるか否かを判断する（図５のステップＳ２）。次に、マウスカーソル位置がシンボル上にないと判断されると処理は終了する。ここでは、マウスカーソル位置にシンボルがあると判断される。そして次に、そのシンボルの割り付け情報の監視装置のモード情報１１（図４）の動作モードが、スクロール監視モードであるか否かを判断する（図５のステップＳ３）。
【００１４】
次に、スクロール監視モードで無い場合に、他の監視動作を実行する（図５のステップＳ１１）。ここでは、スクロール監視モードであるため、次に、現在スクロール操作で監視中か否かを図４のスクロール監視情報管理テーブルの監視装置の監視状態１２にて判断する（図５のステップＳ４）。ここではまだスクロール操作の監視中ではないため、次に、マウス入力がＢｕｔｔｏｎＰｒｅｓｓであるか否かを判断する（図５のステップＳ５）。次に、マウス入力はＢｕｔｔｏｎＰｒｅｓｓでないと判断されると終了する。ここでは、マウスの例えば左ボタンがクリックを操作され、マウス入力がＢｕｔｔｏｎＰｒｅｓｓであると判断されるため、図３に示すように監視項目４ａ、４ｂ、４ｃ、４ｄにて成るメニューウインドウ４がポップアップ表示される（図５のステップＳ６）。次に、そのシンボルの図４のスクロール監視情報管理テーブルの監視装置の監視状態１２にフラグをたて、スクロール操作で監視中に設定する（図５のステップＳ７）。そして一旦処理を終了する。
【００１５】
次に、マウスのスクロール機能が実行され、マスク操作入力を受信する（図５のステップＳ１）。次に、マウスカーソル位置にシンボルがあるか否かを判断する（図５のステップＳ２）。ここでは、マウスカーソル位置にシンボルがあると判断される。そして次に、そのシンボルの割り付け情報の監視装置のモード情報１１（図４）の動作モードが、スクロール監視モードであるか否かを判断する（図５のステップＳ３）。ここでは、スクロール監視モードであるため、次に、現在スクロール操作で監視中か否かを図４のスクロール監視情報管理テーブルの監視装置の監視状態１２にて判断する（図５のステップＳ５）。
【００１６】
ここでは先ほどの動作において、図４のスクロール監視情報管理テーブルの監視装置の監視状態１２にフラグが立てられているので、現在スクロール操作で監視中であると判断される。次に、マウス入力はスクロール信号か否かを判断する（図５のステップＳ８）。次に、スクロール信号でない場合には処理を終了する。ここでは、スクロール信号であると判断され、スクロール信号にあわせて、スクロール監視メニューを選択し、選択されたスクロール監視メニューのセルの色をアクティブにする（図５のステップＳ９）。次に、新たに選択されたスクロール監視メニューの、情報ウィンドをポップアップ表示する（図５のステップＳ１０）。
【００１７】
そしてこのような動作により、図１に示すように、所望のシンボル２１の監視情報の監視項目がメニューウインドウ４としてポップアップ表示され、マウスのスクロール機能を開始すると、例えばメニューウインドウ４中のメニューの監視項目の一つ、ここでは操作履歴の監視項目４ｂがハイライト（アクティブ）され、そのハイライトされた監視項目４ｂの情報が情報ウインドウ５ｂとしてポップアップ表示される。そして、操作員が情報ウインドウ５ｂの内容を確認した後、再度マウスのスクロール操作を行うことにより、上記動作が繰り返されて、メニューウインドウ４中の別のメニューの監視項目を選択する。次に、情報ウインドウ５ｂには、新たに選択されたメニューの監視項目毎に関連する情報が表示される。
【００１８】
上記のように構成された実施の形態１の監視装置によれば、被監視部を表示するためのシンボルとこのシンボルに関連付けられて割り付けられている被監視部の稼動状態や保守情報、操作履歴等の監視情報を、マウスからのスクロール操作により、その監視項目毎に連続して確認することが可能となるため、監視操作に係る作業を軽減することができる。
【００１９】
実施の形態２．
上記実施の形態１では各シンボルにおけるスクロール操作について示したが、本願実施の形態２では、このスクロール操作により画面内に表示されている各シンボルを連動させる場合について説明する。図６はこの発明の実施の形態２の監視装置の監視画面の構成を示した図、図７はこの発明の実施の形態２の監視装置のシンボル毎に割り付けられている監視情報のスクロール監視情報管理テーブルの構成を示した図、図８はこの発明の実施の形態２の監視装置におけるシンボル管理テーブルの構成を示した図、図９はこの発明の実施の形態２の監視装置のアルゴリズムを示すフローチャートである。
【００２０】
図において上記実施の形態１と同様の部分は同一符号を付して説明を省略する。図６に示すように、メニューウインドウ４０に他シンボルヘの移動メニューとしての拡張項目４ｅ、４ｆ、例えば戻る（シンボル２）や次へ（シンボル３）などを追加して適用する。図７に示すようスクロール監視情報管理テーブルには、スクロール移動の閾値１６として、スクロール操作でセル（監視項目または拡張項目を示す）を切り替える閾値の情報が登録されている。次に、シンボル切り替えの閾値１７として、スクロール操作でシンボルを切り替える閾値の情報が登録される。このようにスクロール移動の閾値１６とシンボル切り替えの閾値１７とを備えておくことにより、スクロールの速度に応じて、セル移動とシンボル移動とのいずれの状況であるかを判断することができる。
【００２１】
図８に示すように、シンボルの監視順序を設定する手段として、シンボル管理テーブルが登録されている。このシンボル管理テーブルには、スクロール監視するシンボル数２１として、スクロール監視により監視するシンボルの数の情報が登録されている。次に、現在監視しているシンボルの番号２２として、現在監視されているシンボルの番号の情報が登録されている。次に、シンボル２３として、スクロール機能により監視するシンボルの情報が登録されている。
【００２２】
次に、上記実施の形態２における監視装置の監視画面１上における操作および表示方法について図に基づいて説明する。まず、上記実施の形態１と同様に、監視画面１には被監視装置の被監視部がシンボルとして例えば各シンボル２０、２１、２２、２３が簡略された経路図にて表示されている。さらに、図７に示すように、上記実施の形態１と同様に、各シンボルには監視情報として複数の監視項目および各監視項目毎の情報およびシンボル間の移動のための拡張項目４ｅ、４ｆがスクロール情報としてそれぞれ割り付けられている。さらに、図８に示すように、各シンボル間の監視順序を設定するためのシンボル管理テーブルが登録されている。
【００２３】
そして、上記実施の形態１と同様に図９のステップＳ１からステップＳ７までの動作を行い、図６に示すようにポップアップ表示のメニューウインドウ４０が表示される。この際、拡張項目４ｅ、４ｆも表示される。次に、再び上記実施の形態１と同様に、図９のステップＳ１からステップＳ８の動作を行う。次に、スクロール信号が閾値以内か否かをシンボル管理テーブルのスクロール移動の閾値１６およびシンボル切り替えの閾値１７の情報にて判断する（図９のステップＳ１２）。次に、スクロール信号がシンボル切り替えの閾値１７に達していたら、シンボル管理テーブルのシンボルの監視順序に応じて、マウスカーソルを現在のシンボル上から監視順序の次のシンボル上に移動させる（図９のステップＳ１５）。
【００２４】
また、図９のステップＳ８において、マウス入力がスクロール信号でないと判断されると、次に、マウス入力が右のＢｕｔｔｏｎＰｒｅｓｓであるか否かを判断する（図９のステップＳ１３）。次に、マウス入力は右のＢｕｔｔｏｎＰｒｅｓｓでないと判断されると終了する。また、マウスの例えば右ボタンがクリックを操作され、マウス入力が右のＢｕｔｔｏｎＰｒｅｓｓであると判断されると、次に、選択されたセルは移動セルか否かを判断する（図９のステップＳ１４）。次に、移動セルでないと判断された場合には処理を終了する。また、移動セルであると判断された場合、すなわち、拡張項目４ｅ、４ｆであり、戻るか次へが選択されたと判断された場合は、次に、シンボル管理テーブルのシンボルの監視順序に応じて、マウスカーソルを現在のシンボル上から監視順序の次のシンボル上に移動させる（図９のステップＳ１５）。
【００２５】
上記のように構成された実施の形態２の監視装置は、上記実施の形態１と同様の効果を奏するのはもちろんこと、閾値を超えたスクロール信号を受信した場合や、マウスの右ボタンがクリックされた場合等に、次のシンボルヘマウスカーソルを移動させることが可能となり、操作が簡便になり誤操作を低減することができる。尚、マウスのボタンの左右などはそれぞれいずれかに設定することが可能であり、上記場合に限られるわけではない。
【００２６】
実施の形態３．
上記各実施の形態では、マウスにおけるクリックをスクロール操作開始のトリガとしているが、より簡便に監視が行えるよう、本願実施の形態３では、画面上にマウスカーソル位置を監視するフィルタ層を適用し、マウスカーソルの移動領域を管理する機能を付加する。図１０はこの発明の実施の形態３の監視装置の画面の構成を示す図、図１１はこの発明の実施の形態３の監視装置におけるシンボル管理テーブルの構成を示した図、図１２は、この発明の実施の形態３の監視装置のアルゴリズムを示すフローチャートである。
【００２７】
図において上記各実施の形態と同様の部分は同一符号を付して説明を省略する。図１０に示すように、監視画面１の上位レイヤに、マウス入力を処置するフィルター層を設け、本フィルター層にマウスカーソル３が入った時点で上記各実施の形態の左マウスクリックと同様の場合と判断することができるように、各シンボル２０、２１、２２、２３にそれぞれ操作エリア７０、７１、７２、７３を備えた。図１２に示すよう、シンボル管理テーブルには、マウスカーソル管理領域の数２４として、各シンボルの操作エリアの数の情報が登録される。次に、領域情報２５として、各操作エリアの領域情報がＸ軸、Ｙ軸のＸ座標、Ｙ座標等の情報が登録される。
【００２８】
次に、上記実施の形態３における監視装置の監視画面１上における操作および表示方法について図に基づいて説明する。まず、上記各実施の形態３と同様に、監視画面１には被監視装置の被監視部がシンボルとして例えば各シンボル２０、２１、２２、２３が簡略された経路図にて表示されている。さらに、上記各実施の形態と同様に、各シンボルには監視情報として複数の監視項目および各監視項目毎情報およびシンボル間の移動のための拡張項目がスクロール情報としてそれぞれ割り付けられている。さらに、図１１に示すように、各シンボルの操作エリアに対応する領域情報がそれぞれ割り付けられている。そして、上記各実施の形態と同様に、マウスの操作を行うとマウス操作入力を受信する（図１２のステップＳ１）。
【００２９】
次に、マウスカーソルの位置がいずれかの領域すなわち操作エリア内にあるか否かを、図１１のシンボル管理テーブルの領域情報２５に基づいて判断する（図１２のステップＳ１６）。次に、いずれかの操作エリア上であると判断されると、次に、そのシンボルの割り付け情報の監視装置のモード情報の動作モードが、スクロール監視モードであるか否かを判断する（図１２のステップＳ３）。
【００３０】
次に、スクロール監視モードであるため、次に、現在スクロール操作で監視中か否かをスクロール監視情報管理テーブルの監視装置の監視状態にて判断する（図５のステップＳ４）。ここではまたスクロール操作の監視中ではないため、次に、マウスカーソルを操作エリアに相当するシンボルの位置を移動させる（図１２のステップＳ１８）。そして、この移動により上記各実施の形態における、マウスの左ボタンがクリックが操作されと同様に判断されるため、複数の監視項目にて成るメニューウインドウがポップアップ表示される（図１２のステップＳ１９）。次に、そのシンボルのスクロール監視情報管理テーブルの監視装置の監視状態にフラグをたて、スクロール操作で監視中に設定する（図１２のステップＳ２０）。次に、上記各実施の形態と同様の動作を行う。
【００３１】
上記のように構成された実施の形態３の監視装置は、上記各実施の形態と同様の効果を奏するのはもちろんこと、マウスカーソルを確実にシンボル上に移動させなくとも、容易にマウスカーソルを所望のシンボル上に移動させることができるため、操作が簡便になり誤操作を低減することができる。
【００３２】
実施の形態４．
上記各実施の形態では、マウス操作によるマウスカーソルの移動を前提としていたが、本願実施の形態４では、これ以外に、監視情報ベースによりキーボード信号とシンボルとを関連付けすることにより、より簡便にの監視操作を開始することができる場合について説明する。図１３はこの発明の実施の形態４の監視装置におけるスクロール監視情報管理テーブルの構成を示した図、図１４はこの発明の実施の形態４の監視装置におけるシンボル管理テーブルの構成を示した図である。
【００３３】
図において上記各実施の形態と同様の部分は同一符号を付して説明を省略する。図１３に示すように、スクロール監視情報管理テーブルには、監視開始キーの信号１８として、マウスカーソルを最初の監視シンボルに移動させるトリガとなるキーボード入力信号の情報が登録される。図１４に示すように、シンボルの監視順序を設定する手段として、シンボル管理テーブルには、ファーストシンボル番号２６として、画面で最初にマウスカーソルをポイントするシンボル番号の情報が登録される。例えば監視画面に入力可能な複数のボタンキーを有する手段としてのキーボードのボタンキーであるＨｏｍｅキーを監視開始入力のアサインにする。
【００３４】
次に、上記実施の形態４における監視装置の監視画面上における操作および表示方法について図に基づいて説明する。まず、上記各実施の形態と同様の動作を行い、メニューウインドウや情報ウインドウを表示する。それとは別に、例えばキーボードのＨｏｍｅキーを押下することにより、図１３のスクロール監視情報管理テーブルの監視開始キーの信号１８が確認される。そして、図１４のシンボル管理テーブルのファーストシンボル番号２６の情報に基づいて、マウスカーソルが監視開始シンボルに移動する。そして監視順序最初のシンボルからの監視を行うことが可能となる。
【００３５】
上記のように構成された実施の形態４の監視装置は、上記各実施の形態と同様の効果を奏するのはもちろんこと、マウスカーソルをボタン操作のみにて容易に所定のシンボル上に移動させることができるため、操作が簡便になり誤操作を低減することができる。尚、上記実施の形態４では複数のボタンキーの内の所望のボタンキーをＨｏｍｅキーを所定のシンボルとして、監視順序最初のシンボル位置に移動するための移動キーとして定義する例を示したが、これに限られることはなく、所定のシンボル例えば監視順序の最終のシンボル、監視順序の真ん中のシンボルなどに移動するための移動キーを所定のボタンキーに設定して上記実施の形態４と同様に行うことができる。
【図面の簡単な説明】
【００３６】
【図１】この発明の実施の形態１の監視装置の監視画面の構成を示す図である。
【図２】この発明の実施の形態１の監視装置の監視画面の構成を示す図である。
【図３】この発明の実施の形態１の監視装置の監視画面の構成を示す図である。
【図４】この発明の実施の形態１の監視装置におけるスクロール監視情報管理テーブルの構成を示した図である。
【図５】この発明の実施の形態１の監視装置のアルゴリズムを示すフローチャートである。
【図６】この発明の実施の形態２の監視装置の画面の構成を示す図である。
【図７】この発明の実施の形態２の監視装置におけるスクロール監視情報管理テーブルの構成を示した図である。
【図８】この発明の実施の形態２の監視装置におけるシンボル管理テーブルの構成を示した図である。
【図９】この発明の実施の形態２の監視装置のアルゴリズムを示すフローチャートである。
【図１０】この発明の実施の形態３の監視装置の画面の構成を示す図である。
【図１１】この発明の実施の形態３の監視装置におけるシンボル管理テーブルの構成を示した図である。
【図１２】この発明の実施の形態３の監視装置のアルゴリズムを示すフローチャートである。
【図１３】この発明の実施の形態４の監視装置におけるスクロール監視情報管理テーブルの構成を示した図である。
【図１４】この発明の実施の形態４の監視装置におけるシンボル管理テーブルの構成を示した図である。
【符号の説明】
【００３７】
１  監視画面、３  マウスカーソル、４，４０  メニューウインドウ、
４ａ，４ｂ，４ｃ，４ｄ  監視項目、４ｅ，４ｆ  拡張項目、５ｂ  情報ウインドウ、
２０，２１，２２，２３，２４  シンボル、
７０，７１，７２，７３，７４  操作エリア。
【図１】
2006195681.tif 000003
【図２】
2006195681.tif 000004
【図３】
2006195681.tif 000005
【図４】
2006195681.tif 000006
【図５】
2006195681.tif 000007
【図６】
2006195681.tif 000008
【図７】
2006195681.tif 000009
【図８】
2006195681.tif 000010
【図９】
2006195681.tif 000011
【図１０】
2006195681.tif 000012
【図１１】
2006195681.tif 000013
【図１２】
2006195681.tif 000014
【図１３】
2006195681.tif 000015
【図１４】
2006195681.tif 000016